(57)【特許請求の範囲】
【請求項１】
運転条件と室内温度を含む環境条件に基づいて、室内ユニットが設けられている被空調室内を空調する空気調和機であって、
前記室内ユニットごと又は前記被空調室ごとに設けられて輻射センサによって被空調室内の所定の領域の温度を前記室内温度として検出する温度検出手段と、
前記温度検出手段の検出結果から前記室内温度又は室内温度の変化の異常の有無を判定する判定手段と、
予め設定された所定の情報を送出する通信手段と、
前記判定手段の判定結果に基づいて前記通信手段の作動を制御する通信制御手段と、
空調運転時に選択される通常モードと前記被空調室を監視する監視モードを選択する選択手段と、
を含み、前記選択手段は、前記監視モードが選択されたときに前記判定手段を作動させる、
ことを特徴とする空気調和機。
【請求項２】
前記温度検出手段の検出状態及び前記判定手段の判定結果を被空調室毎に表示する表示手段を含むことを特徴とする請求項１に記載の空気調和機。
【請求項３】
前記判定手段が前記温度検出手段によって検出する温度が所定の温度以上となったときに異常と判定することを特徴とする請求項１又は請求項２に記載の空気調和機。
【請求項４】
前記判定手段が前記室内ユニットの運転停止時に室内温度の変化を検出したときに異常と判定することを特徴とする請求項１から請求項３の何れかに記載の空気調和機。
【発明の詳細な説明】
【０００１】
【発明の属する技術分野】
本発明は、室内ユニットから吹出す空調風によって室内の空気調和を図る空気調和機に関する。
【０００２】
【従来の技術】
室内の冷暖房を行う空気調和機（以下「エアコン」と言う）では、冷凍サイクルによって循環される冷媒が室内ユニットの熱交換器に供給される。また、室内ユニットでは、室内を吹出す空気がこの熱交換器を通過するようにし、この空気が熱交換を通過するときに冷媒との間で熱交換を行うことにより、室内の空気調和を図っている。
【０００３】
近年、空調機器の普及に伴い、複数の室内のそれぞれに室内ユニットを設けて個別に空調が行われるようになっており、エアコンには、複数の室内ユニットに対して１台の室外ユニットを用いた所謂マルチタイプがある。
【０００４】
一方、エアコンには、冷凍サイクルを循環される冷媒によって室内を冷房し、温水によって室内の暖房を図る、所謂温水エアコンがある。このような温水エアコンには、ガス等を燃焼させて給湯用に生成する温水を、室内ユニットに設けた熱交換器との間で循環させることにより、室内ユニットの熱交換器を通過して室内へ吹出される空気を加熱して室内を暖房するようにしている。
【０００５】
このような温水を用いることにより、単一の熱源ユニットによって複数の室内ユニットとの間で温水を循環させることにより効率的な空調（暖房）が可能となる。また、温水を用いた暖房には、室内の床面に敷設した温水配管へ、熱源ユニットによって生成した温水を循環させることにより、室内を床面から暖房する床暖房装置を併設することができ、複数の室内のそれぞれを効率的に暖房することができるようになっている。
【０００６】
ところで、近年、防犯・安全管理を目的としたセキュリテイシステムとしてホームセキュリティーが普及している。このホームセキュリティーでは、建物内に多数の火災警報用のセンサや人検知センサ及び窓開閉検出センサ等の不法侵入検出用の各種センサを取り付け、これらのセンサによって異常を検出したときに、予め定められている警備保障会社等へ通報するシステムとなっている。このようなセンサは、エアコンによって空調する室内にも設置される。
【０００７】
【発明が解決しようとする課題】
本発明は上記事実に鑑みてなされたものであり、セキュリテイ機能を合わせ持たせることにより空調する室内へのセンサの設置を省くことができる空気調和機を提案することを目的とする。
【０００８】
【課題を解決するための手段】
請求項１に係る空気調和機は、運転条件と室内温度を含む環境条件に基づいて、室内ユニットが設けられている被空調室内を空調する空気調和機であって、前記室内ユニットごと又は前記被空調室ごとに設けられて輻射センサによって被空調室内の所定の領域の温度を前記室内温度として検出する温度検出手段と、前記温度検出手段の検出結果から前記室内温度又は室内温度の変化の異常の有無を判定する判定手段と、予め設定された所定の情報を送出する通信手段と、前記判定手段の判定結果に基づいて前記通信手段の作動を制御する通信制御手段と、空調運転時に選択される通常モードと前記被空調室を監視する監視モードを選択する選択手段と、を含み、前記選択手段は、前記監視モードが選択されたときに前記判定手段を作動させる、ことを特徴とする。
【０００９】
この発明によれば、輻射センサを用いた温度検出手段によって検出した室内温度及び室内温度の変化に基づいて空調能力を制御して被空調室内の空調を行う。また、選択手段は、空調運転時に適用される通常モードと、被空調室を監視する監視モードの選択が可能となっており、選択手段によって監視モードが選択されたときには、判定手段が、温度検出手段の検出結果から、室内温度及び室内温度の変化に異常がないか否かを判定する。
通信制御手段は、判定手段によって被空調室内に異常が発生したと判定されたときに、通信手段を用いて外部へ報知する。
【００１０】
すなわち、この発明では、被空調室の室内温度を検出する温度検出手段として被測定物が表面温度に応じて発する赤外線等を検出することにより被測定物の表面温度を測定する輻射センサを用いると共に、この温度検出手段の検出結果から被空調室内の異常の有無を判定し、異常と判定したときに、通信手段によって外部へ報知するセキュリテイシステムを構成させている。
【００１１】
このように、本発明では、選択手段によって監視モードが選択されることにより、セキュリティシステムとして利用することができ、セキュリテイシステムを設置するためには、多数のセンサが必要となるが、これらのセンサの削減ないしセンサが不用となる。
【００１２】
請求項２に係る発明は、前記温度検出手段の検出状態及び前記判定手段の判定結果を被空調室ごとに表示する表示手段を含むことを特徴とする。
【００１３】
この発明によれば、表示手段によって被空調室内の空調状態と共に判定手段の判定結果を表示する。これにより、複数の室内に室内ユニットを設けて空調を行うようにしたときに、各室内の空調状態は勿論、異常が発生しているか否かを一目で確認することができ、複数の室内の集中監視が可能となる。
【００１４】
請求項３に係る発明は、前記判定手段が前記温度検出手段によって検出する温度が所定の温度以上となったときに異常と判定することを特徴とする。
【００１５】
この発明によれば、室内温度が異常に高くなったときには、火災の発生等が想定されるので、判定手段が被空調室内に異常が発生したと判定する。この判定結果に基づいて通信手段を制御すれば、外部へ発生した異常に応じた適切な通報が可能となる。
【００１６】
また、この判定結果は、表示手段に表示されるので、異常が発生した被空調室とは別の場所で異常の発生を知ることができる。
【００１７】
請求項４に係る発明は、前記判定手段が前記室内ユニットの運転停止時に室内温度の変化を検出したときに異常と判定することを特徴とする。
【００１８】
この発明によれば、温度検出手段として輻射センサを用いることにより、被空調室内に人が居るか居ないかを検出することができる。すなわち、人が発する赤外線を輻射センサが検出することにより検出温度が上昇する。また、人が通過するときには、上昇した検出温度がもとに戻る。このような温度変化から被空調室内に人が居るか居ないかを判定することができる。
【００１９】
ここで、被空調室内に人が居ないことになっているときに、温度検出手段によって人が居ることを検出したときには、該当する室内に侵入者が居ると判定することができる。
【００２０】
この判定結果に基づいて通信手段を制御して外部へ報知することにより、侵入者に対する適切な処置が可能となる。
【００２３】
【発明の実施の形態】
以下、図面を参照しながら本発明の実施の形態を説明する。
【００２４】
図１には、本実施の形態に適用した空気調和機の概略構成を示している。なお、本実施の形態に適用した空気調和機は、温水を用いて暖房を行う温水空気調和機（以下「温水エアコン１０」と言う）としている。
【００２５】
温水エアコン１０は、それぞれが空調する室内に設置される複数の室内機１２と、屋外に設置されてそれぞれの室内機１２が接続される室外機１４によって構成されている。また、それぞれの室内機１２の近傍には、室内機１２と室外機１４に接続された通信用の中継・監視ユニット２０（以下「監視ユニット２０」とする）が設けられている。なお、以下の説明では、室外機１４に１台の室内機１２を接続した例を用いて説明する。
【００２６】
温水エアコン１０の室内機１２は、冷凍サイクルによって循環される冷媒用の熱交換器である蒸発器１６と、温水が循環される温水用の熱交換器である放熱器１８によって室内ユニット２２が形成されている。なお、室内機１２に設けられている蒸発器１６と放熱器１８は、一体に連結されたものであっても良く、また、別々に設けられているものであっても良い。
【００２７】
室外機１４は、室内ユニット２２の蒸発器１６との間で冷媒を循環する冷凍サイクルを形成する冷媒ユニット２４と、温水を生成すると共に生成した温水を室内ユニット２２の放熱器１８との間で循環させる熱源ユニット２６によって構成されている。なお、室外機１４は、冷媒ユニット２４と熱源ユニット２６とが同一のケーシング内に一体で収容されている一体型であっても良く、それぞれが別々のケーシングに収容されている別体型であっても良い。また、熱源ユニット２６としては、給湯用の温水を暖房に用いるものであっても良い。
【００２８】
図１及び図３に示されるように、室内ユニット２２の蒸発器１６は、冷媒配管２８Ａ、２８Ｂを介して冷媒ユニット２４に接続されている。図３に示されるように、冷媒ユニット２４では、冷媒配管２８Ａ、２８Ｂの一方（冷媒配管２８Ａ）がバルブ３２に接続されており、このバルブ３２からマフラー３４Ａ及びアキュムレータ３８を介してコンプレッサ４０に接続されている。また、コンプレッサ４０は、マフラー３４Ｂを介して熱交換器（凝縮器）４２に接続されている。また、熱交換器４２は、キャピラリチューブ４４及びストレーナ４６を介してバルブ４８に接続されており、さらに、このバルブ４８には、他方の冷媒配管２８Ｂが接続されている。これによって、温水エアコン１０では室内ユニット２２と冷媒ユニット２４との間に冷凍サイクルが形成されている。
【００２９】
温水エアコン１０では、運転モードが冷房モードまたは除湿モード（ドライモード）に選択されることにより、コンプレッサ４０が運転されて冷媒が循環される。なお、冷媒ユニット２４には、熱交換器４２の近傍に熱交換器４２の冷却用の冷却ファン５３が設けられている。また、図３には、矢印によって冷媒の流れを示している。
【００３０】
室内ユニット２２の蒸発器１６には、熱交換器温度センサ（図示省略）が設けられており、温水エアコン１０では、冷房運転時に蒸発器１６の温度が所定温度以下（例えば６．４°Ｃ以下）とならないようにコンプレッサ４０の能力を制御しながら冷房運転を行うようになっている。
【００３１】
室内ユニット２２の放熱器１８は、例えばフレキシブルな温水配管（以下、「温水チューブ」という）３０Ａ、３０Ｂを介して室外機１４の熱源ユニット２６に接続されている。一方の温水チューブ３０Ａは、熱源ユニット２６の温水入口ニップル５６Ａへ接続され、他方の温水チューブ３０Ｂは、熱源ユニット２６の温水出口ニップル５６Ｂへ接続されている。
【００３２】
温水チューブ３０Ｂは、室内ユニット２２の温水入口ニップル６６Ａに接続され、流量可変弁６８を介して放熱器１８に接続されている。また、温水チューブ３０Ａは、室内ユニット２２の温水出口ニップル６６Ｂに接続されることにより、放熱器１８に接続されている。
【００３３】
熱源ユニット２６では、温水出口ニップル５６Ｂが温水熱交換器６４、ポンプ６２及びプレッシャタンク６０を介して温水入口ニップル５６Ａに接続されており、これによって、室内ユニット２２と温水ユニット２６の間で密閉された温水の循環路が形成されている。
【００３４】
また、温水ユニット２６には、温水を生成するためのガスバーナー７０が設けられており、このガスバーナー７０にガス電磁弁１８０Ａ、１８０Ｂ及びガス比例弁１８２を介して機外から燃焼用のガスが供給される。ガスバーナー７０は、このガスを燃焼させることにより温水熱交換器６４内の水を加熱して暖房用の温水を生成する。なお、プレッシャタンク６０は、プレッシャキャップ５８を介してドレインタンク７２に接続されており、このドレインタンク７２を介して温水循環路を循環する水（例えば水道水）を排出する。
【００３５】
熱源ユニット２６では、水温（温水の温度）が上昇して内圧が所定値（例えば０．９kg/cmU）以上となると、プレッシャキャップ５８の圧力弁が作動し、このプレッシャキャップ５８に設けている圧力逃がし口から温水をドレインタンク７２へ流出させて配管内の圧力上昇を防止すると共に、温水の温度が低下して内圧が所定値未満となると、負圧弁が作動してドレインタンク７２から水を回収するようになっている。なお、ドレインタンク７２から溢れた水は、ドレイン配管接続口から排出される。
【００３６】
温水エアコン１０は、冷房モードまたはドライモードで運転しているときには、熱源ユニット２６の作動（放熱器１８との間の温水の循環等）を停止させると共に、可変流量弁６８を閉じる（動作ステップ０）ている。これに対して、暖房運転時（暖房モード）には、熱源ユニット２６のガスバーナー７０を点火すると共に、ポンプ６２を作動させ、室内ユニット２２の流量可変弁６８を開く。これによって、熱交換器６４で温水が生成されると共に、生成された温水が室内ユニット２２の放熱器１８との間で循環される。なお、熱源ユニット２６には、温水熱交換器６４と温水出口ニップル５６Ｂの間に高温サーミスタ（図示省略）が設けられており、この高温サーミスタによる検出温度が約８０°Ｃ程度の所定温度（例えば８２°Ｃ）となるように温水の温度を制御しながら循環させている。また、流量可変弁６８の開度（動作ステップ）は、室内温度と設定温度等に応じて設定される。
【００３７】
室内ユニット２２には、送風用のクロスフローファン９０が設けられている。また、図２に示されるように、室内ユニット２２が収容されている室内機１２のケーシング３６には、吸込み口５０及び吹出し口５２が設けられている。室内ユニット２２では、クロスフローファン９０を作動させることにより、吸込み口５０から室内の空気を吸込んで吹出し口５２から吹出す。このとき、吸込み口５０から吸込まれた空気が室内ユニット２２内の蒸発器１６ないし放熱器１８を通過することにより温調され、この温調された空気が吹出し口５２から吹出されることにより、室内が空調される。なお、吹出し口５２には、上下フラップ５４と図示しない左右フラップが設けられており、上下フラップ５４と左右フラップによって吹出し口５２から吹き出される温調した空気の吹出し方向が変えられる。
【００３８】
図４に示されるように、室内ユニット２２には、マイクロコンピュータ（以下「マイコン１００」と言う）を備えたコントロール基板１０２が設けられている。このコントロール基板１０２には、電源基板１０４、表示基板１０６、スイッチ基板１０８と共に、パワーリレー１１０、温度ヒューズ１１２、流量可変弁６８、クロスフローファン９０を駆動するファンモータ１１４、上下フラップ５４を制御するルーバーモータ１１６が接続されている。
【００３９】
室内ユニット２２は、電源基板１０４へ運転用の交流電力が供給され、この交流電力が電源基板１０４によって所定の電力に変換されてコントロール基板１０２へ供給される。また、室内ユニット２２に供給された交流電力は、端子板１３２から室外機１４の熱源ユニット２６へ供給されると共に、パワーリレー１１０を介して端子板１３２から室外機１４の冷媒ユニット２４へ供給される。すなわち、熱源ユニット２６には、室内ユニット２２と同様に常に運転用の電力が供給され、冷媒ユニット２４は、コントロール基板１０２からの信号によってパワーリレー１１０をオンすることにより運転用の電力が供給される。
【００４０】
また、コントロール基板１０２には、蒸発器１６の温度を検出する熱交温度センサ１１８、室内の湿度を検出する湿度センサ１２０、放熱器１８の温度を検出する温水熱交換器センサ１２２、ガス欠センサ１２４等と共に室温センサ１２６が接続されている。また、表示基板１０６には、表示ＬＥＤ１２８等が設けられている。
【００４１】
図２に示されるように、室内機１２のケーシング３６には、表示部８２が設けられており、ＬＥＤ１２８等がこの表示部８２上に配置されている（図２では図示省略）これにより、表示部８２のＬＥＤ１２８の点灯状態によって温水エアコン１０の運転状態（運転/ 停止及び運転モード等）を判断できるようになっている。
【００４２】
また、図４に示されるように、室内ユニット２２のコントロール基板１０２には、通信Ｉ／Ｆ基板１３４が接続されている。この通信Ｉ／Ｆ基板１３４には、冷媒ユニット２４に設けられている図示しないコントロール基板及び後述する監視ユニット２０が接続される。室内ユニット２２には、この通信Ｉ／Ｆ基板１３４を介して後述する監視ユニット２０から操作信号及び室内温度等が入力される。
【００４３】
室内ユニット２２のマイコン１００は、通信Ｉ／Ｆ基板１３４を介して入力される操作信号に応じた運転条件及び室内温度に基づいて空調運転を行う。なお、室内温度は、通常、室内ユニット２２に設けられている室温センサ１２６によって検出している。この室温センサ１２６は、例えば、吸込み口５０と蒸発器１６の間に設けられており、クロスフローファン９０の作動によって吸込み口５０から吸引される室内の空気の温度を室内温度として検出する。
【００４４】
また、マイコン１００は、通信Ｉ／Ｆ基板１３４を介して冷媒ユニット２４との間でシリアル通信を行うことにより冷媒ユニット２４の作動を制御している。なお、冷媒ユニット２４の構成及びシリアル通信による冷媒ユニット２４の制御は、従来公知の構成及び方法を適用でき、本実施の形態では詳細な説明を省略する。
【００４５】
図５に示されるように、熱源ユニット２６には、図示しないマイコンを備えたコントロール基板１７４が設けられている。コントロール基板１７４には、電源トランス１７６、温水循環用のポンプ（ポンプモータ）６２、ガスバーナー７０を点火するイグナイタ１７８、ガスバーナー７０へ燃焼ガスを供給するガス電磁弁１８０Ａ、１８０Ｂ及びガス比例弁１８２、給気用のファンモータ１８４等が接続されている。このコントロール基板１７４は、室内ユニット２２の端子板１３２から供給される電力を電源トランス１７６によって変圧し、ポンプ６２等の駆動用の電力を得ている。
【００４６】
また、コントロール基板１７４には、温水熱交換器６４から送り出される温水の温度を測定する高温サーミスタ１８６、外気温度を検出する外気温度センサ１８８、ファンモータ１８４の回転検出器１９０等が接続されている。コントロール基板１７４は、これらのセンサによって熱源ユニット２６内の各機器の作動状態を監視しながら所定の温度の温水を生成する。
【００４７】
なお、コントロール基板１７４には、温度ヒューズ１９２、ハイリミットスイッチ１９４等が接続され、また、ポンプ試験端子１９６、外部に動作状態等を表示する動作モニタ用端子１９８と共に、設定スイッチ２００、ガスバーナー７０の点火時に点灯する燃焼ランプ２０２、故障時のエラーコード等を表示する故障表示ＬＥＤ２０４、メンテナンス用スイッチ２０６、二次圧調整ボリューム２０８等が設けられている。
【００４８】
この熱源ユニット２６には、温水入口ニップル５６Ａ、温水出口ニップル５６Ｂのそれぞれに並んで温水入口ニップル８０Ａ、温水出口ニップル８０Ｂが設けられており、例えば温水を用いて床面の暖房を行う床暖房ユニットを接続することができる。床暖房ユニットとしては、床暖房マット１４２などがある。
【００４９】
図１に示されるように、床暖房マット１４２は、例えば、室内の床面に敷かれるマット１４４内に温水チューブ１４６（図２では図示省略）が緊密に織込まれている。なお、温水エアコン１０に接続される床暖房ユニットとしては、室内の床板内または床板の下側に温水配管を敷設したものであってもよい。
【００５０】
図３に示されるように、温水チューブ１４６の一端に設けられている温水入口ニップル８４Ａへ温水チューブ８６Ａが接続され、この温水チューブ８６Ａが熱動弁７６を介して熱源ユニット２６の温水出口ニップル８０Ｂに接続され、温水チューブ１４６の他端に設けられている温水出口ニップル８４Ｂへ温水チューブ８６Ｂが接続され、この温水チューブ８６Ｂが熱源ユニット２６の温水入口ニップル８０Ａに接続されることにより、床暖房マット１４２は、熱源ユニット２６に接続される。これによって、床暖房マット１４２には、ポンプ６２が作動すると、熱動弁７６の開閉に応じて温水が循環され、この温水によってマット１４４が加熱される。
【００５１】
図５に示されるように、この熱動弁７６は、熱源ユニット２６のコントロール基板１７４に接続されており、このコントロール基板１７４によって開閉が制御される。
【００５２】
ところで、熱源ユニット２６のコントロール基板１７４には、通信Ｉ／Ｆ基板１３６が設けられており、この通信Ｉ／Ｆ基板１３６を介して監視ユニット２０に接続されている。
【００５３】
一方、図７に示されるように、監視ユニット２０は、マイコン１５０を備えたコントロール基板１５２に、データ通信用の通信Ｉ／Ｆ基板１５４及びシリアル通信用の通信Ｉ／Ｆ基板１５６が接続されている。また、監視ユニット２０内には、温度検出基板１５８及び受信基板１６０が設けられており、これらがコントロール基板１５２に接続されている。
【００５４】
監視ユニット２０には、受信窓１６２が形成されており、この受信窓１６２へ向けてシステムリモコン１３０を操作することにより、システムリモコン１３０から送出される操作信号が受信基板１６０で受信される（図２参照）。
【００５５】
このシステムリモコン１３０は、温水エアコン１０の運転／停止、設定温度の設定、運転モードの設定ないし切り換え、室内機１２の吹出し口５２から吹出される空調風の風向及び風量の設定、タイマー運転時の時間設定等の一般的エアコンに用いられるリモコンスイッチの機能に加えて、床暖房マット１４２の運転／停止、温度設定等の操作機能等を合わせ持ったマルチ機能タイプとなっている。
【００５６】
監視ユニット２０のコントロール基板１５２は、システムリモコン１３０から送出された操作信号を受信すると、この操作信号から室内ユニット２２及び冷媒ユニット２４に対する空調用の操作信号と、熱源ユニット２６に対する温水暖房用の操作信号を分離し、空調用の操作信号を通信Ｉ／Ｆ基板１５６を介して、シリアル通信によって室内ユニット２２へ送出する。
【００５７】
また、監視ユニット２０では、受信した操作信号から温水暖房用の操作信号を分離すると、通信Ｉ／Ｆ基板１５４を介して熱源ユニット２６へ出力する。これと共に、監視ユニット２０には、熱源ユニット２６のコントロール基板１７４から熱源ユニット２６ないし熱源ユニット２６を用いた床暖房マット１４２の運転状態が、通信Ｉ／Ｆ基板１５４を介して入力される。監視ユニット２０では、熱源ユニット２６から入力された運転状態を、通信Ｉ／Ｆ基板１５６を介して室内ユニット２２へ送出する。
【００５８】
図７に示されるように、温度検出基板１５８には、温度検出手段として輻射センサ１６４が設けられている。この輻射センサ１６４としては赤外線センサが用いられている。図２に示されるように、監視ユニット２０には、集光レンズ１６６が設けられており、この集光レンズ１６６が向けられている被測定物からその表面温度に応じて発せされる赤外線が、集光レンズ１６６を透過して輻射センサ１６４に受光されることにより、温度検出基板１５８で被測定物の温度を検出できるようになっている。なお、温度検出基板１５８では、被測定物の表面温度を１°Ｃ以内の誤差範囲で検出して出力できるようにしている。
【００５９】
監視ユニット２０では、温度検出基板１５８によって検出した温度を室内温度としてシステムリモコン１３０からの操作信号と共に室内ユニット２２へ送出する。室内ユニット２２のマイコン１００は、通常、システムリモコン１３０から入力される操作信号と室温センサ１２６によって検出した室内温度に基づいて空調運転を行い、必要に応じてシステムリモコン１３０から送出されてくる室内温度及び熱源ユニット２６の運転状態に応じた空調制御を行う。
【００６０】
監視ユニット２０の集光レンズ１６６は、温水エアコン１０によって空調する被空調室内の領域の所定の位置（例えば中央部）の床面近傍に向けられており、温度検出基板１５８は、集光レンズ１６６が向けられている床面近傍の温度を輻射センサ１６４によって検出している。
【００６１】
このため、床暖房マット１４２によって床暖房が行われているときに、監視ユニット２０の集光レンズ１６６が床暖房マット１４２上へ向けられていることにより、監視ユニット２０は、輻射センサ１６４によって検出した温度を床暖房マット１４２の表面温度として、システムリモコン１３０から送出された暖房用の操作信号と共に熱源ユニット２６へ送出する。
【００６２】
また、温度検出基板１５８では、集光レンズ１６６が向けられている領域内に、例えば動物等の周囲の温度と異なる温度の物体が入ったり通過したときには、このときの温度変化を検出できるようになっている。
【００６３】
熱源ユニット２６では、監視ユニット２０から送出された操作信号に基づいて運転制御を行う。このとき、システムリモコン１３０によって設定された床暖房マット１４２の設定温度と監視ユニット２０で検出した床暖房マット１４２の表面温度に基づいて熱動弁７６の開閉（オン／オフ）を制御することにより、床暖房マット１４２の表面温度が設定温度となるようにしている。
【００６４】
ところで、図６及び図７に示されるように、熱源ユニット２６には、システムコントローラ２２０が設けられており、温水エアコン１０では、監視ユニット２０とシステムコントローラ２２０によってセキュリテイシステム２１８が構成されている。
【００６５】
図７に示されるように、システムコントローラ２２０は、マイコン２２２を備えたシステムコントロール基板２２４と、このシステムコントロール基板２２４に接続されている通信Ｉ／Ｆ基板２２６、２２８、表示コントローラ２３０及びモデムＩ／Ｆ基板２３２を備えている。
【００６６】
システムコントローラ２２０の通信Ｉ／Ｆ基板２２６には、監視ユニット２０が接続され、この通信Ｉ／Ｆ基板２２６を介して監視ユニット２０との間でデータの送受信が行われる。これにより、監視ユニット２０から室内の空調状態がシステムコントローラ２２０へ入力される。図６に示されるように、室外機１４に複数の室内機１２が接続されているときには、それぞれの室内機１２の室内ユニット２２に対して設けられている監視ユニット２０が、通信Ｉ／Ｆ基板２２６に接続されるようになっている。すなわち、システムコントローラ２２０には、複数の監視ユニット２０のそれぞれが検出する複数の室内の空調状態が入力されるようになっている。
【００６７】
通信Ｉ／Ｆ基板２２８は、熱源ユニット２６のコントロール基板１７４（通信Ｉ／Ｆ基板１３６）に接続されており、通常、監視ユニット２０から入力された情報がシステムコントローラ２２０を介して熱源ユニット２６のコントロール基板１７４へ入力されると共に、熱源ユニット２６の運転状態がシステムコントローラ２２０を介して各監視ユニット２０へ送出される。
【００６８】
一方、図８に示されるように、表示コントローラ２３０には、ディスプレイ２３４が設けられている。システムコントローラ２２０では、このディスプレイ２３４上に監視ユニット２０が設けられている各室内の空調状態（空調のＯＮ/ ＯＦＦ、室温等）が表示される。これにより、この表示コントローラ２３０を任意の一室に取り付けることにより、各室内の空調状態を一目で確認できるようになっている。また、監視ユニット２０は、室内ユニット２２の運転が停止中も輻射センサ１６４によって室内温度の監視を行うようになっており、検出された室内温度がディスプレイ２３４上に表示される。
【００６９】
システムリモコン１３０には、不在設定ボタン（図示省略）が設けられており、室内を出るときにこの不在設定ボタンを操作することにより、表示コントローラ２３０のディスプレイ２３４上に「不在」表示がなされる。
【００７０】
システムコントローラ２２０では、システムリモコン１３０によって不在設定がなされると、監視ユニット２０によって不在設定された室内の温度及び温度変化の監視を行う監視モードへ移行する。これによって、システムコントローラ２２０は、例えば、監視ユニット２０によって検出された室内の温度が所定の温度以上（例えば約１００°Ｃ以上）となると、表示コントローラ２３０のディスプレイ２３４上に「警報」表示を行う。なお、このとき、アラーム等の図示しない報知手段を併用して作動させても良い。
【００７１】
また、システムコントローラ２２０では、不在設定がなされている室内の監視ユニット２０によって検出する温度が短時間で増加したり増減したときには、例えば不在表示を点滅させたり、不在表示の点滅に合わせ警報表示を点滅させるなどして、不在設定されている室内に侵入者があることを報知する。
【００７２】
すなわち、監視ユニット２０の輻射センサ１６４が侵入者の体温に応じて発せられる赤外線を検出すると、検出温度が増加する。また、侵入者が輻射センサ１６４によって温度検出する領域を通過すると、輻射センサ１６４によって検出する温度に増減が生じる。
【００７３】
コントロールシステム２２０は、このような輻射センサ１６４によって検出される所定の温度変化から不在に設定されている室内に侵入者があったと安定して、ディスプレイ２３４に所定の表示を行う。これにより、表示コントローラ２３０のディスプレイ２３４上の表示を見ることにより、該当する室内に人が入っていると判断できる。
【００７４】
表示コントローラ２３０には、スイッチカバー２３０Ａが設けられており、このスイッチカバー２３０Ａを開くことにより一括して不在設定等を行うための図示しない操作ボタンが露出されるようになっている。
【００７５】
システムコントローラ２２０では、表示コントローラ２３０のスイッチ操作によって一括した不在設定がなされることにより、表示コントローラ２３０のディスプレイ２３４上に「留守監視」表示を行うと共に留守監視モードへ移行する。すなわち、システムリモコン１３０によって室内ごとに監視モードへ移行すると共に、表示コントローラ２３０上のスイッチ操作によって、すべての監視ユニット２０を用いた留守監視モードへ移行する。
【００７６】
図７に示されるように、システムコントローラ２２０のモデムＩ／Ｆ基板２３２にはモデム２３６が接続され、このモデム２３６を介して電話回線に接続されている。システムコントロール基板２２４には、所定の情報を自動送出する電話番号として例えば、警備保障会社、ガス会社（図６参照）等が予め記憶されており、セキュリテイシステム２１８では、このモデム２３６によって予め設定されている電話番号へ所定の情報を自動的に送出するようになっている。
【００７７】
例えば、システムコントローラ２２０は、留守監視モードに設定された状態で、監視ユニット２０によって検出した室内温度が異常高温となると、モデム２３６を介してガス会社へ接続して、温度異常を検知していることを示す情報を送出する。また、システムコントローラ２２０は、留守監視モードに設定されているときに、監視ユニット２０によって侵入者等の体温による温度変化を検出すると、モデム２３６を介して警備保障会社に接続して、侵入者を検出している旨の情報を送出する。
【００７８】
なお、システムコントローラ２２０では、監視ユニット２０を介してまたは別に設けたターミナルを介して、監視ユニット２０が設けられている室内以外の場所に設置した図示しないセキュリテイ用のセンサの検出結果が入力されるようになっており、システムコントローラ２２０は、これらのセンサの検出結果に基づいて外部への通報を行う通常のセキュリテイ機能を合わせ持っている。
【００７９】
次に本実施の形態の作用を説明する。
温水エアコン１０では、システムリモコン１３０の操作によって、運転モード、設定温度等の運転条件が設定されると、設定に応じた操作信号が監視ユニット２０へ送出される。
【００８０】
監視ユニット２０は、システムリモコン１３０から送出された操作信号を受信すると、この操作信号から室内ユニット２２と冷媒ユニット２４の動作に関わる信号と、熱源ユニット２６と床暖房マット１４２の動作に関わる信号に分離し、室内ユニット２２と冷媒ユニット２４の動作に関わる信号を通信Ｉ／Ｆ基板１５６を介して室内ユニット２２へ送出する。このとき、監視ユニット２０は、熱源ユニット２６及び床暖房マット１４２の動作状態を示す信号と共に、室内温度を合わせて送出する。
【００８１】
監視ユニット２０には、輻射センサ１６４が設けられており、この輻射センサ１６４によって、例えば、室内の床面等から温度に応じて発せられる赤外線から温度を判定する。監視ユニット２０では、赤外線を用いることにより比較的高い精度で室内温度（誤差が１°Ｃ以内）を判定することができる。
【００８２】
室内ユニット２２のマイコン１００は、監視ユニット２０から送出された操作信号に基づいた運転モード、設定温度、風量、風向等と、温度センサ１２６によって検出した室内温度に基づいて運転を開始する。このとき、温水エアコン１０は、監視ユニット２０によって検出された室内温度を必要に応じて用いることにより空調能力を適切に制御した空調運転が可能となる。
【００８３】
一方、暖房運転時には、システムリモコン１３０によって設定された運転条件が、監視ユニット２０の通信Ｉ／Ｆ基板１５４を介して熱源ユニット２６のコントロール基板１７４へ送られる。このとき、熱源ユニット２６には、監視ユニット２０によって検出した室内温度と共に、システムリモコン１３０によって設定された室内ユニット２２の運転状態も合わせて送出される。
【００８４】
熱源ユニット２６は、暖房運転に設定されると、ガスバーナー７０を点火すると共にポンプ６２を作動させる。これによって、温水熱交換器６４で温水の生成を開始すると共に、生成された温水の循環が開始される。また、室内ユニット２２では、設定温度と室内温度等に基づいて流量可変弁６８の開度ステップを設定し、設定されたステップで流量可変弁６８を開く。
【００８５】
これによって、温水エアコン１０の室内ユニット２２では、熱交換器２０の放熱器１８へ所定の圧力の温水循環され、この温水によって放熱器１８を通過する空気を加熱して、吹出し口５２から室内へ向けて吹き出す。
【００８６】
一方、システムリモコン１３０の操作によって、温水エアコン１０の暖房運転と共に、床暖房マット１４２による床暖房が設定されると、監視ユニット２０から床暖房マット１４２の設定温度等の運転条件が熱源ユニット２６へ送出される。これによって、熱源ユニット２６では、熱動弁７６を開いて、床暖房マット１４２の温水チューブ１４６内への温水の循環を開始し、床暖房マット１４２を用いた床暖房を行う。このとき、熱源ユニット２６は、監視ユニット２０によって検出した床面近傍の温度に基づいて床暖房マット１４２への温水の循環（熱動弁７６の開閉）を制御する。
【００８７】
一方、熱源ユニット２６は、この床暖房マット１４２の動作状態を監視ユニット２０へ送出するようになっており、監視ユニット２０は、熱源ユニット２６から送出される床暖房マット１４２の運転状態を、システムリモコン１３０からの操作信号及び室内温度と共に送出する。温水エアコン１０では、室内ユニット２２のマイコン１００が監視ユニット２０から送出された情報に基づいて、床暖房マット１４２の運転状態を考慮した空調能力で制御することにより室内の効率的な暖房が可能となっている。
【００８８】
ところで、温水エアコン１０には、室内の温度を検出する監視ユニット２０を用いたセキュリテイシステム２１８が構成されている。このセキュリテイシステム２１８では、監視ユニット２０によって検出した各室内の空調状態がシステムコントローラ２２０へ送出されることにより、表示コントローラ２３０のディスプレイ２３４上に各室内の空調状態等が表示される。
【００８９】
一方、システムリモコン１３０のスイッチ操作によって「不在」に設定されることにより、表示コントローラ２３０のディスプレイ２３４上には、該当する室内が不在に設定されていることを示す表示がなされる。これと共に、不在に設定された室内の温度が監視ユニット２０によって監視され、表示コントローラ２３０のディスプレイ２３４上に表示される（監視モード）。
【００９０】
また、表示コントローラ２３０によって一括して各室内が不在に設定されることにより、温水エアコン１０に設けられているセキュリテイシステム２１８が留守監視モードへ移行する。図９には、本実施の形態に適用したセキュリテイシステム２１８が留守監視モードへ移行することによる実行する処理の一例を示している。
【００９１】
このフローチャートでは、まず、最初のステップ３００で留守監視モードに設定されたか否かを確認している。セキュリテイシステム２１８が留守監視モードに設定されると、ステップ３００で肯定判定されて、ステップ３０２へ移行する。
【００９２】
このステップ３０２では、表示コントローラ２３０のディスプレイ２３４上に留守監視モードに設定されていることを示す表示がなされる。これと共に、表示コントローラ２３０のディスプレイ２３４上には、室温と共に「不在」表示がなされ、また、室内ユニット２２等を用いた空調が停止しているときには、空調が停止していることを示す表示（「ＯＦＦ」表示）がなされる。
この後、ステップ３０４では、例えば所定の時間間隔で監視ユニット２０によって検出している各室内の温度ｔを読み込み、ステップ３０６では、読み込んだ各室内の温度ｔが予め設定している所定の温度ｔS を越えているか否かを確認する。また、ステップ３０８では、読み込んだ温度ｔを各室内ごとに時系列的に記憶しながら、所定の温度変化が生じているか否かを確認する。
【００９３】
また、このフローチャートは、ステップ３１０で例えば表示コントローラ２３０に設けている留守設定ボタンが再度操作されるなどして留守監視モードが解除されたか否かを確認し、留守監視モードが解除される（ステップ３１０で肯定判定）と、ステップ３１２へ移行して、表示コントローラ２３０のディスプレイ２３４上の留守監視モードに設定されていることを示す表示を消す。これによってセキュリテーシステム２１８での留守監視モードが終了する。なお、ステップ３０４で読み込んだ各室内の温度は表示コントローラ２３０のディスプレイ２３４Ａ上に表示される。
【００９４】
ここで、ステップ３０６は、例えば火災等によって室温が異常に上昇していないかを確認する火災検出用となっており、室内の温度が異常に上昇して所定の温度ｔS （例えば１００°Ｃ）を越える（ｔ≧ｔS ）と、肯定判定されてステップ３１４へ移行する。このステップ３１４では、ディスプレイ２３４上の該当する室内の警報表示を行うと共に、ステップ３１６では、ガス会社や警備保障会社など（例えばガス会社）の、室温異常を検出したときに報知する個所として予め設定されている場所（会社等）と電話回線によって接続し、温度異常が検出されたことを示す情報を送出する。
【００９５】
一方、室内に侵入者があったときには、監視ユニット２０によって検出する室内温度が変化する。すなわち、監視ユニット２０によって検出する温度が侵入者の体温に応じて発する赤外線を検出することによって変化する。ステップ３０８では、監視ユニット２０によって検出している温度が、侵入者の体温によって変化したものであるか否かを確認し、予め設定されている温度変化が生じたときには、侵入者があったと判断（ステップ３０８で肯定判定）して、ステップ３１８へ移行する。
【００９６】
このステップ３１８では、例えばディスプレイ２３４上の「不在」表示を点滅させるなどして、不在に設定されている室内に侵入者があったことを示す所定の表示を行うと共に、ステップ３２０では、侵入者を検出したことを外部に報知する情報通信処理を実行する。すなわち、ステップ３２０では、不法侵入者を検出したときに報知する個所として予め設定されている警備保障会社等と電話回線によって接続し、不在に設定されている室内に侵入者があったことを示す情報を送出する。
【００９７】
このように、温水エアコン１０では、室内ユニット２２と共に設けている監視ユニット２０を用いてセキュリテイシステム２１８が構成されているので、室内ユニット２２（監視ユニット２０）が設置されている室内の温度（火災の発生の有無）や侵入者の有無を常に監視することができる。このとき、通常のセキュリテイシステムでは、火災の発生を検出するためのセンサや侵入者を検出するためのセンサを設置する必要が生じるが、セキュリテイシステム２１８では、温水エアコン１０を構成する部品のみで特別なセンサ等を設置する必要がない。
【００９８】
なお、図９では、留守監視モードに設定されたときの例を説明したが、システムリモコン１３０によって個別に不在設定がなされたときには、ステップ３１６及びステップ３２０を省略して、検出結果を表示コントローラ２３０に表示して報知するのみとすれば良い。これによって、表示コントローラ２３０によって各室内の空調状態と共に室内温度の異常や侵入者の有無を一目で判断することができる。
【００９９】
また、室内温度が所定の温度ｔS を越えたか否かは、不在設定の如何に関わらず監視するようにしても良い。これによって、常に火災発生の有無の検知を行うことができる。
【０１００】
さらに、窓や扉等の開閉を検出するマグネットスイッチ等の開閉検出センサを別に設け、それぞれの開閉検出センサを監視ユニット２０又はシステムコントローラ２２０に接続し、開閉検出センサの検出結果と監視ユニット２０の検出温度を合わせて監視することにより、より一層正確に室内への侵入者の有無を検出することができる。
【０１０１】
また、監視ユニット２０に設けている輻射センサ１６４は、温度検出位置が固定されているものであっても良いが、スイング機構を用いて所定の範囲ないし予め設定されている範囲内の温度を検出するものであっても良い。スイング機構を用いることにより室内の温度変化を広範囲に検出でき、温度異常や侵入者の検出するときの正確性を向上させることができる。これによって、セキュリテイシステム２１８の検出精度を向上させることができる。
【０１０２】
なお、以上説明した本実施の形態は、本発明の構成を限定するものではない。例えば、本実施の形態では、床暖房マット１４２を用いて床暖房を行う温水エアコン１０を用いて説明したが、床暖房マット１４２等の床暖房ユニットを備えていないものであっても良い。
【０１０３】
また、本実施の形態では、温水を用いて暖房を行う温水エアコン１０を用いて説明したが、冷凍サイクルによって室内の冷暖房等の空調を行う一般的構成の空気調和機に適用しても良い。この場合、システムコントローラ２２０は、冷媒ユニット２４が設けられている室外機１４に配置しても良く、また、室内機１２及び室外機１４とは別にシステムコントローラ２２０を配置しても良い。
【０１０４】
さらに、本実施の形態では、室内機１２とは別に監視ユニット２０を設けたが、室内ユニット２２と監視ユニット２０を室内機１２に一体で設けても良い。また、監視ユニット２０とは別にシステムコントローラ２２０を配置したが、監視ユニット２０の一つにシステムコントローラ２２０を設けて、システムコントローラ２２０が設けられている監視ユニット２０を親機とし、子機となる他の監視ユニット２０を親機となる監視ユニット２０へ接続するようにしても良い。
【０１０５】
また、本実施の形態では、通信手段としてモデム２３６を用いて電話回線によって外部へ報知するようにしたが、通信手段としては、携帯電話や無線通信等の任意の手段を用いることができる。
【０１０６】
【発明の効果】
以上説明した如く、本発明によれば、監視モードが選択されたときに、空調時に室内温度を検出するために設けている温度検出手段を用いて、室内温度ないし室内温度の変化から被空調室内に異常があるか否かを判定する。これによって、室内の異常の有無を検出するための多数のセンサが不用となる。また、電話回線等の通信手段を用いて判定結果を外部へ通報することにより、室内で発生した異常に対する適切な処置が可能となる。
【０１０７】
このように、温度検出手段として輻射センサを用いることにより、簡単にセキュリテイシステムとして使用できると言う優れた効果が得られる。
【図面の簡単な説明】
【図１】本実施の形態に適用した温水エアコンを示す概略構成図である。
【図２】温水エアコンの室内ユニット、監視ユニット及び床暖房マットの配置を示す概略図である。
【図３】本実施の形態に適用した温水エアコンの冷媒と温水の流路を示す概略系統図である。
【図４】室内ユニットの電気回路の基板構成を示す概略図である。
【図５】温水ユニットの電気回路の基板構成を示す概略図である。
【図６】監視ユニットを用いたセキュリテイシステムを示す概略構成図である。
【図７】本実施の形態に適用した監視ユニットとシステムコントローラを示す概略構成図である。
【図８】表示コントローラの一例を示す概略正面図である。
【図９】本実施の形態に適用したセキュリテイシステムの動作の一例を示すフローチャートである。
【符号の説明】
１０    温水エアコン（空気調和機）
２０    監視ユニット（温度検出手段）
２２    室内ユニット
２４    冷媒ユニット
２６    熱源ユニット
１３０    システムリモコン（選択手段）
１５２    コントロール基板（温度検出手段）
１５８    温度検出基板（温度検出手段）
１６４    輻射センサ（温度検出手段）
２１８    セキュリテイシステム
２２０    システムコントローラ（判定手段、通信制御手段）
２３０    表示コントローラ（表示手段、選択手段）
２３６    モデム（通信手段）
【図１】
0003710928.tif 000002
【図２】
0003710928.tif 000003
【図３】
0003710928.tif 000004
【図４】
0003710928.tif 000005
【図５】
0003710928.tif 000006
【図６】
0003710928.tif 000007
【図７】
0003710928.tif 000008
【図８】
0003710928.tif 000009
【図９】
0003710928.tif 000010